(57)【要約】【課題】  二種または三種の調合元素液を使用する前に別々の包装器に詰め、外瓶体の中に積み重ねることにより、使用する場合、蓋を開け、包装器を突き刺すことにより、携帯に便利で安全に調合可能な混合液を調合する瓶装置を提供する。【解決手段】  混合液を調合する瓶装置であって、異なる調合元素液を詰める複数の包装器２０を外瓶体１０の内に積み重ねている。包装器１０が互いに繋がる薄膜２２を少なくとも二つ有している。使用者が外瓶体１０内で薄膜１０を突き破ることにより、外瓶体１０の内部で包装器１０に詰められた調合元素液が混合される。これにより、各種の調合元素液を安全に調合することができ、かつ携帯に便利であり、調合の安全が確保される。【選択図】    図１
0003104096.tif 000002
【実用新案登録請求の範囲】
【請求項１】
外瓶体を有し、外瓶体の一端が開口状態を呈する瓶口となり、外瓶体の中には外力により突き刺して開封可能な包装器を少なくとも二つ有し、各包装器によりそれぞれ調合元素液が詰められ、外瓶体は瓶口を封じるための蓋を有することを特徴とする混合液を調合する瓶装置。
【請求項２】
外瓶体の瓶口には、ねじ山により中空状の瓶上部と接合可能であり、瓶上部は外瓶体と接合する下接合端を有し、下接合端と外瓶体の瓶口の最上縁部との間には漏れ止めリングが挟まり、瓶上部は孔の直径が縮小する上接合端を有し、上接合端がねじ山により瓶上部の開口を封じる蓋と接合されることを特徴とする請求項１に記載の混合液を調合する瓶装置。
【請求項３】
包装器は、中空部の上端面および下端面がそれぞれ薄膜により封じられていることを特徴とする請求項１に記載の混合液を調合する瓶装置。
【請求項４】
包装器は、膜全体がソフトパックであることを特徴とする請求項１に記載の混合液を調合する瓶装置。
【考案の詳細な説明】
【技術分野】
【０００１】
本考案は、混合液を調合する瓶装置に関し、特に容器包装の技術に関わり、酒の調合に適用する瓶装置に関するものである。
【背景技術】
【０００２】
台湾では、米酒は料理に欠かせないものであり、特にＷＴＯに加入して以来、純米の酒は、税金が大幅に上げられたため、値段が高くなった。したがってアルコール液体の調合による自家製米酒は発売されることになった。例えば、三つの瓶体にそれぞれアルコール、純米酒、および水をつめ、そして、アルコール度３０の純米酒３０ｃｃと台湾製糖厰埔里食品部出荷のミネラルウォーター４３５ｃｃとを蜂蜜成分のアルコール液体１３５ｃｃに入れてよく振ることにより米酒になるものである。
【０００３】
前述の自家製の米酒は、法律に触れず米酒の値下がりを促す可能性があるが、別々の三種の瓶体でアルコール、純米酒、および水をつめ、いつでも三本セットで携帯しなければならない。そのため、体積と重量を膨大に増加させ、携帯しにくいのは、消費者に一番不便を感じさせる。また、商売の需要またはお産により、一回で購入する量がかなり多いため、消費者を困らせるだけでなく、運輸の体積空間とコストを増加させ、瓶体の使用量が多くなり、資源物回収と廃棄処分のために費用がかかるのが当然な事である。
【考案の開示】
【考案が解決しようとする課題】
【０００４】
本考案者は、前述の米酒調合の容器装置を実際に使用した時、携帯しにくく、体積が大きいという問題点が生じるため、設計を考え直して本考案を生み出した。
そこで、本考案の主な目的は、二種または三種の調合元素液を使用する前に別々の包装器に詰め、外瓶体の中に積み重ねることにより、使用する場合、蓋を開け、包装器を突き刺すことにより、携帯に便利で安全に調合可能な混合液を調合する瓶装置を提供することにある。
【課題を解決するための手段】
【０００５】
上述の目的を達成するために、本考案による混合液を調合する瓶装置は、外瓶体を有し、外瓶体の一端が開口状態を呈する瓶口となり、外瓶体の中には外力により突き刺しができる包装器を少なくとも二つ有し、各包装器によりそれぞれ調合元素液を詰め、外瓶体の瓶口が封じるための蓋を有するものである。
【０００６】
本考案の効果は、下記の通りである。
携帯に便利で瓶の使用量が大量減少する。本考案は外瓶体の中に異なる調合元素液を詰める包装器を収納することで、調合方法による米酒を包装する需要に応じ、使用者に体積の膨大な瓶体を持たせず、携帯と購入に便利である。
安全に調合できる。米酒に調合する場合、濃度の高いアルコールを調合する過程が適当ではなかったら危険を招く恐れがある。それに対して、本考案は、包装器を外瓶体の中に収納するものであるため、包装器を突き刺し、蓋を被って力を入れて振るだけで調合元素液を外瓶体の中に調合し、調合がすべて外瓶体の中に完成し、プロセスが安全で手軽なものである。
本考案の包装器は、色々な形式を選択できるものであるため、業者の製造に応えられる弾力性がある。
【考案を実施するための最良の形態】
【０００７】
本考案による混合液を調合する瓶装置は、外瓶体を有し、外瓶体内に二種または三種の包装器を積み重ね、各包装器によりそれぞれ調合元素液を詰め、また外瓶体の瓶口には常に外瓶体を封じる蓋を有するものである。
【０００８】
（第１実施例）
以下、本考案の第１実施例を図面に基づいて説明する。
図１から図２に示すように、本実施例では、外瓶体１０は、ねじ山により中空状の瓶上部１２と接合されている。瓶上部１２は外瓶体１０と接合する下接合端１２１を有し、下接合端１２１と外瓶体１０の瓶口の最上縁部との間には漏れ止めリング１２３が挟まっている。また、瓶上部１２は孔の直径が縮小した上接合端１２２を有し、上接合端１２２がねじ山により瓶上部１２の瓶口を封じる蓋１３と接合される。
【０００９】
そして、包装器２０は、調合元素液４０を予め詰めて、そののち外瓶体１０内に収納される。包装器２０は、中空部２１の下端面が薄膜２２により封じられ、所定の分量の調合元素液４０が詰められている。そして、中空部２１の上端面は薄膜２２により封じられ、調合元素液４０を包装器２０内に完全に密封することにより、調合元素液４０を封じる包装器２０が形成される。包装器２０を外瓶体１０に収納する方法は、瓶上部１２の下接合端１２１と外瓶体１０とを接合する前に、異なる調合元素液を詰める包装器２０を外瓶体１０内から一つずつ積み重ねることである。また包装器２０が薄膜により予め封じられているため、調合元素液４０が漏れる心配はない。別々の調合元素液４０を詰める包装器２０を外瓶体１０に収納した後、蓋１３を含める瓶上部１２を外瓶体に下接合端１２１により接合することで酒の調合に用いる包装が完成する。
【００１０】
使用する場合、図３に示すように蓋１３をあけて割り箸または清潔で鋭利なもので外瓶体１０内の包装器２０の薄膜２２を突き破る。そして、瓶上部１２に蓋１３をしっかり被せて、そののち上、下に強く振ることにより、それぞれの包装器２０の調合元素液４０をよく混ぜ合わせる。これにより、混合液が完成する。また、図３、図４に示すように、刺す道具５０を使用して包装器２０を突き破ってもよい。
【００１１】
刺す道具５０は、周囲に孔５２が密集して開いている柱体５１から構成され、柱体５１内に鋼鉄玉またはガラス玉５３を有している。柱体５１の底端面は十字形のリブ状を呈し、玉の落下を防いでいる。柱体５１の底端の周囲側は鋭い歯状リング５４を有している。柱体５１の長さは、外瓶体１０の高さよりやや小さい。そのため、蓋１３を緩めた後、刺す道具５０を外瓶体１０に差し込み、歯状リング５４の鋭い部分により包装器２０の薄膜２２を突き破り、刺す道具５０を外瓶体１０内に完全に差し込む。そして、刺す道具５０の最上端を瓶上部１２に露出させないように蓋１３と瓶上部１２を接合する。さらに、外瓶体１０の開口を封じ、外瓶体１０を強く振ることにより、刺す道具５０の玉５３が柱体５１内を移動し、調合元素液４０を攪拌する混合効果が増加するとともに、各調合元素液４０が素早く混合される。これにより、蓋１３を開けると、各調合元素液４０により合成された酒が完成する。
【００１２】
図２、図５に示すように、刺す道具６０は充塞部６１を有してもよい。刺し棒６２がその中央を貫通し、刺し棒６２は一端がＴ字形状のハンドル６３と結合されている。充塞部６１により上接合端１２２の内壁に嵌り、操作ハンドル６３は刺し棒６２を回転させる。刺し棒６２により各包装器２０の薄膜２２を突き破り、各包装器２０の調合元素液４０をよく混ぜ合わせる。
【００１３】
（第２実施例）
図６、図７に示すように、外瓶体３０は瓶口の広い瓶体でもよい。外瓶体３０は、図１に示すような瓶上部１２の設置を必要とせず、膜全体がソフトパックの包装器２５を設置する。各包装器２５内には調合元素液４０が詰められている。膜全体がソフトパックからなる包装器２５を外瓶体３０内に積み重ね、口の広い蓋３２をねじ山により接合することにより、外瓶体３０が封じられる。調合する場合、蓋３２をあけて刺す道具７０により突き刺せばよい。
【００１４】
刺す道具７０は円形リング７１を有しており、その一端面に歯部７２が設けられ、また他端面から延伸して形成される操作棒７３を有している。そのため、使用者は歯部７２を外瓶体３０の包装器２５に向かって差し込み、操作棒７３の回転動作にあわせて、刺す道具７０により各包装器２５を突き破る。これにより、調合元素液４０を外瓶体３０に流し、そののち刺す道具７０を抜き出し、蓋３２をしっかり締め、外瓶体３０を振って調合元素液４０を混合すれば、調合液が完成する。
【図面の簡単な説明】
【００１５】
【図１】本考案の第１実施例による混合液を調合する装置を示す断面図である。
【図２】本考案の第１実施例による混合液を調合する装置を示す分解斜視図である。
【図３】本考案の第１実施例による混合液を調合する装置および刺す道具を示す概略図である。
【図４】本考案の第１実施例による混合液を調合する装置および刺す道具を示す概略図であり、外瓶体の内部に刺す道具を設置した状態を示す図である。
【図５】本考案の第１実施例による混合液を調合する装置および刺す道具を示す概略図であり、刺す道具の変形例を示す図である。
【図６】本考案の第２実施例による混合液を調合する装置を示す断面図である。
【図７】本考案の第２実施例による混合液を調合する装置および刺す道具を示す概略図である。
【符号の説明】
【００１６】
１０  外瓶体、１２  瓶上部、１２１  下接合端、１２２  上接合端、１２３  漏れ止めリング、１３  蓋、２０  包装器、２１  中空部、２２  薄膜、３０  外瓶体、３２  蓋、４０  調合元素液、５０  刺す道具、５１  柱体、５２  孔、５３  玉、５４  歯状リング、６０  刺す道具、６１  充塞部、６２  刺し棒、６３  ハンドル、７０  刺す道具、７１  リング、７２  歯部、７３  操作棒
【図１】
0003104096.tif 000003
【図２】
0003104096.tif 000004
【図３】
0003104096.tif 000005
【図４】
0003104096.tif 000006
【図５】
0003104096.tif 000007
【図６】
0003104096.tif 000008
【図７】
0003104096.tif 000009